(57)【要約】【課題】  鉄筋コンクリート構造の建築における、鉄筋の組み立てや配筋作業を容易にし、工数削減に寄与する鉄筋保持具を提供する。【解決手段】  ほぼ矩形で弾性を有する金属板を、二つの保持部２ａ、２ｂ、及び前記二つの保持部との間に介在する接合部を備えた、ほぼコ字形状に折り曲げ、前記二つの保持部２ａ、２ｂの少なくとも一方の内側の、前記接合部に対向する辺の近傍に、突起部４を形成するとともに、二つの保持部２ａ、２ｂの接合部に対向する辺から接合部に向けて、二つの保持部２ａ、２ｂの間の距離とほぼ同じ幅のスリットを設けて、鉄筋保持具１を構成する。この保持具１を鉄筋の交差箇所に嵌合させて、鉄筋を保持固定することができる。【選択図】図１
2016217103.tif 000002
【特許請求の範囲】
【請求項１】
ほぼ矩形で弾性を有する金属板を、二つの保持部及び前記二つの保持部との間に介在する接合部を備えた、ほぼコ字形状に折り曲げてなり、前記二つの保持部の少なくとも一方の内側の、前記接合部に対向する辺の近傍に、突起部が形成されてなり、前記二つの保持部の前記接合部と対向する辺から前記接合部へ向けて、前記二つの保持部の間の距離とほぼ同じ幅のスリットが形成されてなることを特徴とする鉄筋保持具。
【請求項２】
前記突起部は、前記保持部に曲げ加工を施すことで形成されてなることを特徴とする、請求項１に記載の鉄筋保持具。
【発明の詳細な説明】
【技術分野】
【０００１】  本発明は、鉄筋コンクリート工法による建築工事における、鉄筋の組み立てに用いられる、鉄筋保持具に関するものである。
【背景技術】
【０００２】  近代の大型の建築物や構造物には、鉄筋コンクリート構造が広汎に用いられている。コンクリートは、セメント、骨材、水の混合物を型に流し込んで、水和反応などにより固めたもので、圧縮力には大きな強度を発現するが、引張力には、弱いため、これを補うために、内部に鉄筋と称する棒状の鋼材を埋め込む。具体的には、複数本の鉄筋を予め所要の形状に組み立てて、型内に配置した状態でセメント、骨材、水の混合物を打設する。【０００３】  鉄筋は、鋼材を圧延して、表面に凹凸を付与したもので、その組み立てには、鉄筋を交差させた部分を、ワイヤで結束して固定するという方法が、一般的に用いられている。そして、鉄筋を組み立てた形状は、建築物の形状や構造が一定ではないことから、組み立て作業は、手作業に頼らざる得ないことが多く、工数削減や工期短縮の点で課題が多い。【０００４】  このような課題への対処法として、特許文献１には、鉄筋が少なくとも２本入る大きさの環状体からなる金具本体と、ボルトとからなる配筋接合用金具が開示されている。しかし、この金具は、ボルトの締め付けなどが手作業となるので、改善の余地がある。【０００５】  また、特許文献２には、複数本の結束線を交差部または分岐部で重なった鉄筋に巻き付け、端部同士を捩じって縛ることにより、平板状または棒状に束ねられた結束線で鉄筋同士を固縛し、かつ、結束線束の各結束線間の隙間、結束線束と鉄筋の接触部、鉄筋同士の接触点を含む周辺部に、金属接着材を注入する鉄筋接合部構造が開示されている。この構造は、鉄筋の構造体の強度向上への寄与が極めて大きいが、基本的には手作業に頼る部分が多く、前記の課題には、必ずしも十分に対応したものではない。【０００６】  さらに、鉄筋には複数本の鉄筋を格子状に組み合わせ、交差部を溶接などで予め固定した、ワイヤメッシュと称されるものがあり、使用に際しては、図５に示したように、それらを複数枚重ねて使用することがあるが、その場合もワイヤメッシュ相互の接合は、人手に頼らざるを得ないのが実状である。
【先行技術文献】
【特許文献】
【０００７】
【特許文献１】  特開平０６−１７３３９２号公報
【特許文献２】  特開２００３−０１３５４８号公報
【発明の概要】
【発明が解決しようとする課題】
【０００８】  従って、本発明の課題は、鉄筋の組み立てや配筋作業を容易にし、工数削減に寄与する鉄筋保持具を提供することにある。
【課題を解決するための手段】
【０００９】  本発明は、前記の課題に鑑み、鉄筋の交差部を簡単に固定し得る部材の構造を、検討した結果なされたものである。【００１０】  本発明によれば、ほぼ矩形で弾性を有する金属板を、二つの保持部及び前記二つの保持部との間に介在する接合部を備えた、ほぼコ字形状に折り曲げてなり、前記二つの保持部の少なくとも一方の内側の、前記接合部に対向する辺の近傍に、突起部が形成されてなり、前記二つの保持部の前記接合部と対向する辺から前記接合部へ向けて、前記二つの保持部の間の距離とほぼ同じ幅のスリットが形成されてなることを特徴とする鉄筋保持具が得られる。【００１１】  また、本発明によれば、前記突起部が、前記保持部に曲げ加工を施すことで形成されてなることを特徴とする、前記の鉄筋保持具が得られる。
【発明の効果】
【００１２】  本発明に係る、鉄筋保持具は、内側に突起が設けられた、弾性を有する金属板をコ字形状に成形したものなので、コ字の内部に嵌合させた複数の鉄筋を、前記の突起と金属板の弾性により保持できる。また、鉄筋の保持部には、前記のようなスリットが設けられているので、一つの鉄筋保持具で、直交方向に配列した鉄筋の交差箇所を保持することが可能である。しかも、コ字の内部に鉄筋を嵌入させる作業は、金属板の弾性変形を利用して、コ字の開放側から、鉄筋を押し込むだけなので、作業者の熟練の度合いとは無関係に短時間で済む。
【図面の簡単な説明】
【００１３】
【図１】  本発明に係る鉄筋保持具の一例を示す斜視図。
【図２】  本発明に係る鉄筋保持具の一例を示す図、図２（ａ）は正面図、図２（ｂ）はＡＡ断面図。
【図３】  本発明に係る鉄筋保持具の使用状態を示す一例を示す斜視図。
【発明を実施するための形態】
【００１４】  次に、本発明の実施の形態について、具体的な図に基づいて説明する。
【００１５】  図１は、本発明に係る鉄筋保持具の一例を示す斜視図である。また、図２は、本発明に係る鉄筋保持具の一例を示す図で、図２（ａ）は正面図、図２（ｂ）はＡＡ断面図である。図１及び図２において、１は鉄筋保持具、２ａ、２ｂは保持部、３はスリット、４は突起部である。
【００１６】  鉄筋保持具１は、弾性を有する鋼板により構成される。ばね用の金属材料としては、オーステナイト系ステンレスが、機械的特性のバランスが優れていることから多用され、防錆を目的としたメッキを施さなくとも使用できるなどの利点を備えている。しかし、本発明に係る鉄筋保持具１は、基本的に、使用した後、そのまま、コンクリートの中に埋め込まれるので、通常の鋼材が問題なく使用できる。
【００１７】  また、図１に示した突起部４は、保持部２ａに、図２（ｂ）における左側から見た場合においては、溝を形成するように曲げ加工を施すことで形成されているが、保持部２ａの図における右側に、一直線上に複数の点状の突起を形成したり、棒状の部材を接合したりしても、本発明の目的に適うことは勿論である。
【００１８】  図３は、本発明に係る鉄筋保持具の使用状態を示す一例を示す斜視図である。図３において、５ａ、５ｂ、５ｃは鉄筋である。ここに示したように、本発明に係る鉄筋保持具１を用いることで、格子状に組み立てた鉄筋５ａ，５ｂ，５ｃの交差箇所を、一つの鉄筋保持具１により保持固定することができる。つまり本発明に係る鉄筋保持具を、直交する鉄筋を複数層重ねた格子状の鉄筋の交差箇所で、図３に示したように用いることで、組立作業の工程を、大幅に簡素化でき、生産性向上に寄与できる。
【００１９】  以上に説明したように、本発明によれば、鉄筋を簡単に保持固定できる鉄筋保持具を提供でき、建築工事の工数削減、工期短縮に寄与できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは、論を俟たない。
【符号の説明】
【００２０】１  ・・・  鉄筋保持具
２ａ，２ｂ  ・・・  保持部
３  ・・・  接合部
４  ・・・  突起部
５ａ，５ｂ，５ｃ  ・・・  鉄筋
【図１】
2016217103.tif 000003
【図２】
2016217103.tif 000004
【図３】
2016217103.tif 000005